(57)【要約】【課題】  把手を備えた液体貯留容器から成る飲料サーバーにおいて、その容器の外周公差によらず把手が容器に強固に固定される飲料サーバーを提供する。【解決手段】  液体貯留容器１１の隘部１１ｃの外周面において、一端に一体成形された第１の把手半体１２１を有するバンド１３が巻回される。そして、隘部１１ｃの外周面に巻回されたバンド１３の他端が第１の把手半体１２１とビス１４の連結部により緊締される。更に、バンド１３とは別個に形成された第２の把手半体１２２が第１の把手半体１２１に結合し、２つの把手半体が一体化し把手１２が装着される。ここで、連結部による緊締において、第１の把手半体１２１の押圧部１２１ａにより第２の把手半体１２２の固定部１２２ａが液体貯留容器１１の外周面に圧接され、把手１２が液体貯留容器１１に固定される。【選択図】  図１
2014076276.tif 000002
【特許請求の範囲】
【請求項１】
隘部が形成された液体貯留容器と、前記隘部の外周面に巻回された樹脂製のバンドと、該バンドの一端に一体成形された第１の把手半体および前記バンドとは別個に形成された第２の把手半体からなる把手とを有し、
前記隘部の外周面に巻回された前記バンドの他端が前記第１の把手半体と連結部により緊締され、
前記第１の把手半体と前記第２の把手半体が結合し一体化して前記把手になり、
前記連結部による緊締により、前記第１の把手半体を介し前記第２の把手半体が前記液体貯留容器の外周面に圧接されて、前記把手が前記液体貯留容器に固定されるようになっていることを特徴とする飲料サーバー。
【請求項２】
前記液体貯留容器の外周面の外壁にそって接する前記第２の把手半体のフランジ状の固定部がこの固定部に重ね合わされる前記第１の把手半体のフランジ状の押圧部によって押圧されることを特徴とする請求項１記載の飲料サーバー。
【請求項３】
前記固定部が前記連結部に対して前記液体貯留容器の軸方向両側の外周面に延びていることを特徴とする請求項２記載の飲料サーバー。
【請求項４】
前記第１の把手半体と前記第２の把手半体は、それぞれ半中空状の構造体であり、それらの縁端に設けられた係合溝と係合突起とを介して互いに結合して中空状の前記把手になることを特徴とする請求項１ないし３のいずれか一項に記載の飲料サーバー。
【請求項５】
前記バンドの他端は、前記第２の把手半体に設けられた嵌合壁にはめ込まれるようになっていることを特徴とする請求項１ないし４のいずれか一項に記載の飲料サーバー。
【請求項６】
前記バンドの他端は挟幅部に形成され、前記第２の把手半体の嵌合壁に嵌めこまれることを特徴とする請求項５に記載の飲料サーバー。
【請求項７】
前記第１の把手半体の連結部と前記バンドの他端の少なくとも一方に緊締ストッパーが設けられ、前記緊締ストッパーにより前記連結部で前記第１の把手半体と前記バンドの他端間の緊締による前記他端の先端側が変位するのを抑制することを特徴とする請求項１ないし６のいずれか一項に記載の飲料サーバー。
【請求項８】
前記連結部はビスを備え、前記バンドの他端に設けられたネジ孔に螺合することを特徴とする請求項１ないし７のいずれか一項に記載の飲料サーバー。
【請求項９】
前記第１の把手半体の連結部にビスを通すビス孔が設けられ、前記バンドの他端に前記ビスと螺合するネジ孔が設けられていることを特徴とする請求項８に記載の飲料サーバー。
【請求項１０】
前記バンドの他端のネジ孔は前記他端に固定された絶縁体のナットによって構成されていることを特徴とする請求項９に記載の飲料サーバー。
【請求項１１】
前記連結部はビスを備え、前記第１の把手半体の連結部に前記ビスを通すビス孔が設けられ、前記バンドの他端に前記ビスと螺合するネジ孔が設けられ、前記前記ビス孔の前記液体貯留容器から遠い側に前記ビスの軸にそって突出する第１の緊締ストッパーが形成され、バンド他端の先端に前記第１の緊締ストッパーに対向して突出する第２の緊締ストッパーが形成されていることを特徴とする請求項７に記載の飲料サーバー。
【発明の詳細な説明】
【技術分野】
【０００１】
本発明は、樹脂製の把手を備えた液体貯留容器から成る飲料サーバーに関する。
【背景技術】
【０００２】
飲料水等を貯留する液体貯留容器を持ち易くするため、容器に把手が設けられる。そのような把手は液体貯留容器と一体成形にできないこともない。しかし、例えばガラス容器の場合、把手付きの容器を一体成形することは製造上きわめて煩雑になってしまう。また、例えば樹脂製容器の場合、把手の一体成形は容易になるが、成形の金型が複雑になり、製造コストの低減が難しくなる。
【０００３】
そこで、液体貯留容器とは別に成形され、その容器の材質に関係なく所定の領域に装着できる把手が提案されている（例えば、特許文献１，２参照）。この場合の把手は、容器の例えば縮径する口頸部のような隘部の外周を巻回する帯状のバンドと一体に成形される。そして、この帯状のバンドは可撓性を有する合成樹脂製であり、それが容器の隘部を巻回した状態において、バンドの両端に連設された２つの把手半体が結合し一体化して把手を構成するようになる。
【０００４】
ところで、上述したような樹脂製のバンドに一体成形される把手を備えた液体貯留容器から成る飲料サーバーでは、液体貯留容器の製造において、バンドが巻回される隘部に外周公差の生じることは避けられない。しかし、特許文献１に示されている可撓性の合成樹脂から成る取付体（バンド）に一体成形された把手では、容器口頸部（隘部）の公差のためその外周が小さい場合には、バンドの隘部への巻回が緩くなる。そして、バンドは容器に係合しており、容器から脱落することは無いが、容器において隘部の周回方向に把手と共に動くようになる。この把手では、容器における外周公差を吸収できるところが無く、飲料サーバーの全製品において安定して固定された把手の装着は難しい。特に、隘部の外周公差が大きくなる容器への対応はできなくなる。
【０００５】
そこで、特許文献２では、容器の隘部に巻回されるバンドにおいて波形形状の領域が設けられ、容器の外周公差が吸収できる構造のものが提示されている。しかし、この把手を備えた飲料サーバーにおいては、例えばガラス製の液体貯留容器に把手を強固に固定して装着すると、バンドの波形形状の領域において局部的に過大な応力がかかり破損する虞がある。そのため、容器への把手の強固な固定はできない。そして、この構造の場合では、バンドの所定領域に更に周り止めが突設されていないと、バンドに一体成形されている把手が容器の隘部の外周方向に動く不都合が生じる。
【先行技術文献】
【特許文献】
【０００６】
【特許文献１】実開平２−１１１６２８号公報
【特許文献２】特開２００６−１３６４３９号公報
【発明の概要】
【発明が解決しようとする課題】
【０００７】
本発明は、上述の事情に鑑みてなされたもので、樹脂製の把手が装着された液体貯留容器から成る飲料サーバーにおいて、その容器の外周公差によらず把手が容器に強固にしかも簡便に固定できる飲料サーバーを提供することを目的とする。
【課題を解決するための手段】
【０００８】
上記目的を達成するために、本発明にかかる飲料サーバーは、隘部が形成され横断面円形の液体貯留容器と、前記隘部の外周面に巻回された樹脂製のバンドと、該バンドの一端に一体成形された第１の把手半体および前記バンドとは別個に形成された第２の把手半体からなる把手とを有し、前記隘部の外周面に巻回された前記バンドの他端が前記第１の把手半体と連結部により緊締され、前記第１の把手半体と前記第２の把手半体が結合し一体化して把手になり、前記連結部による緊締により、前記第１の把手半体を介し前記第２の把手半体が前記液体貯留容器の外周面に圧接されて、前記把手が前記液体貯留容器に固定されるようになっていることを特徴とする。
【発明の効果】
【０００９】
本発明の構成により、樹脂製の把手を備えた液体貯留容器から成る飲料サーバーにおいて、容器の外周公差によらず把手が容器に強固に固定して装着される。また、このような把手の装着であっても、把手に一体成形されて容器の所定の領域に巻回されるバンドの破損は生じない。
【図面の簡単な説明】
【００１０】
【図１】本発明の第１の実施形態の飲料サーバーの一部欠截平面図である。
【図２】本発明の第１の実施形態の飲料サーバーの縦断面図である。
【図３】本発明の第１の実施形態の飲料サーバーへの把手とバンドの装着前の状態における正面図である。
【図４】バンドの一端に一体成形され把手を構成する第１の把手半体とそのバンドの他端との連結状態を示す一部拡大断面図である。
【図５】把手を構成する第１の把手半体および第２の把手半体の結合状態を示す一部拡大断面図である。
【図６】バンドの他端と第２の把手半体の嵌合を示す一部拡大正面図である。
【図７】本発明の第１の実施形態の飲料サーバーへの把手とバンドの装着の説明に供する一部拡大斜視図である。
【図８】第２の実施形態の飲料サーバーへの把手とバンドの装着前の状態における正面図である。
【図９】第２の実施形態のバンドの一端に一体成形され把手を構成する第１の把手半体とそのバンドの他端との連結状態を示す一部拡大断面図である。
【図１０】（ａ），（ｂ）は第２の実施形態の機能を説明するための略図である。
【発明を実施するための形態】
【００１１】
以下に本発明の実施形態について図１ないし図１０を参照して説明する。ここで、互いに同一または類似の部分には共通の符号を付して、重複説明は一部省略される。
【００１２】
（第１の実施形態）
図１ないし図７は本実施形態を説明するもので、図１、２に示すように、飲料サーバー１０は、例えばガラス製の液体貯留容器１１に対して、把手１２、樹脂製のバンド１３を備えて構成される。このバンド１３は連結部２０により緊締されている。
【００１３】
ここで、液体貯留容器１１は、上方に開いた有底円筒状をなし横断面円形であり、その上部に開口１１ａおよび注ぎ口１１ｂを有する。そして、この液体貯留容器１１において、例えば中間高さ位置が縮径して隘部１１ｃになっており、隘部の両側の外周面が湾曲して膨らんだ外壁１１ｄ，１１ｅになっている。隘部の横断面も円形になっている。しかし横断面は長円形、一部切欠け円形等を含むものである。液体貯留容器１１はガラス容器の他に、樹脂製容器、金属製容器、陶器などであっても構わない。このような液体貯留容器１１において、装着される把手１２との位置合わせ用の視認できる印が形成されていてもよい。
【００１４】
把手１２は、環状であって手指の挿入により握持可能になり、しかも中空構造体になっている。そして、把手１２が液体貯留容器１１の軸方向すなわち縦方向に２つに截断された形状の第１の把手半体１２１と第２の把手半体１２２から成る。第１の把手半体１２１と第２の把手半体１２２は、半割りの一対の環状外形になり、詳細は後述するように互いに結合一体化して把手１２になっている。ここで、図３に示すように、第１の把手半体１２１は、樹脂製のバンド１３の一端に一体成形され、第２の把手半体１２２はバンド１３とは別個に形成される。ここで、第１の把手半体１２１はバンド１３と同じ樹脂からなるが、第２の把手半体１２２には樹脂、金属、無機絶縁物など適宜な素材が用いられる。なお、樹脂は第１の把手半体１２１のものと同じでもあるいは異種のものでもよい。
【００１５】
第１の把手半体１２１は、環状の半中空状の半体構造をしており、液体貯留容器１１の外周面に第２の把手半体１２２を圧接させる細長いフランジ状の押圧部１２１ａと、半中空の開口縁に形成し第２の把手半体１２２と結合する第１結合部１２１ｂとにより画成される。押圧部１２１ａは連結部２０に対して液体貯留容器の軸方向両側に容器の外壁１１ｄ，１１ｅにそって延びている。第１の把手半体の内壁側の所定の領域に、バンド１３の他端および第２の把手半体と連結するための第１補強リブ１２１ｄが形成されている。第１補強リブ１２１ｄにより、ビス１４を挿入しビス頭１４ａを係止する第１ビス孔１２１ｃ、および第１の把手半体１２１の機械的強度を確保することができる。
なお、第１の把手半体１２１において、その下方に液抜き口１２１ｅが設けられてもよい。
【００１６】
第２の把手半体１２２は同様に環状の半中空状の半体である。そして、第１の把手半体１２１の押圧部１２１ａに対して容器側になるように重ね合わされて液体貯留容器１１の外周面に狭圧される固定部１２２ａを有する。固定部は細長いフランジ状の板形状であり、容器外壁との接触面を増やすために押圧部１２１ａよりも幅広にされる。固定部１２２ａも押圧部１２１ａと同じく連結部２０の上下すなわち容器軸方向の両側の容器外壁１１ｄ，１１ｅの膨らみに沿って延びている。さらに半中空開口縁に第１の把手半体１２１の第１結合部１２１ｂと結合する第２結合部１２２ｂが設けられる。そして、第２の把手半体１２２の内壁において、バンド１３の他端が嵌合するように嵌合壁１２２ｃおよび嵌合突起１２２ｄ等からなる嵌合部が形成されている。また、第２の把手半体１２２は、その内壁に設けられた所要数の第２補強リブ１２２ｅにより補強されるようになっている。更に、第１の把手半体１２１にバンド１３の他端１３ｆを連結するビスの先端の受け口になるビス受け１２２ｆが設けられていてもよい。また、第２の把手半体１２２の下方に液抜き口１２２ｇが設けられてもよい。
【００１７】
上記第１の把手半体１２１および第２の把手半体１２２は、把手１２が縦方向に真２つに截断された構造であってもよいし、それぞれ異なる大きさに截断された構造になっていてもよい。
【００１８】
バンド１３は、例えばポリプロピレンのような可撓性の合成樹脂から成り、液体貯留容器１１の隘部１１ｃの外周面に帯状に巻回され、その縁辺に沿い形成された複数のバンドリブ１３ａを有する。このバンド１３では、その一端が第１の把手半体１２１に一体に連結され、その他端１３ｆが結合端すなわち屈曲し縮幅された舌片状の狭幅部１３ｂになっている。そして、狭幅部１３ｂに第２ビス孔１３ｃが形成され、その先端において嵌合溝１３ｄがバンド１３の厚さ方向に形成されている。また、第２ビス孔１３ｃの領域であってバンド１３の背面側にビス螺合用のネジ孔をもつ絶縁体のナット１５（図４）が例えば圧入により固設されている。
【００１９】
このようなバンド１３において、液体貯留容器１１と把手との位置合わせ用の凸部１３ｅがバンド内側の所定の位置例えば容器注入口１１ｂ下方に相当する位置に形成されていてもよい。このような凸部１３ｅは、第１の把手半体１２１とバンド１３の一体成形の金型において、樹脂を流入させるために設けられる金型の樹脂流入口を有効に利用して簡便に形成される。
【００２０】
上記飲料サーバー１０では、液体貯留容器１１の隘部１１ｃの外周面にバンド１３が巻回され、その他端が第１の把手半体１２１に連結部により緊締される。ここで、バンド１３はその縁辺に沿い設けられたバンドリブ１３ａが隘部１１ｃの外周面に接するようになるが、バンド１３の全体が隘部１１ｃの外周面に当接するようになってもよい。
【００２１】
液体貯留容器１１の隘部１１ｃの外周面に巻回されたバンド１３の他端１３ｆと第１の把手半体１２１の連結では、図４に示すように、例えばビス１４が、液体貯留容器１１の隘部１１ｃの外周を囲ったバンド１３の他端に固設されたネジ孔をもつナット１５に螺合する。ここで、上述したようにナット１５は例えばバンド１３の他端の狭幅部１３ｂに圧入されている。そして、ビス１４は第１の把手半体１２１に設けられた第１ビス孔１２１ｃおよびバンド１３の他端に設けられた第２ビス孔１３ｃを貫通してナット１５に螺合する。ここで、第２の把手半体１２２が第１の把手半体１２１と結合し一体化した状態で、ナット１５に螺合したビス１４の先端が第２の把手半体１２２のビス受け１２２ｆに入り込むようになってもよい。また第２のビス孔自体をネジ孔に形成してもよい。
【００２２】
上記連結部２０となるビス（ボルトを含む）１４およびナット１５は絶縁体から成ると好適である。それは、金属部品でないために、飲料サーバー１０が例えば電子レンジによるマイクロ波加熱にも安全に適用できるようになるからである。この連結部としては、その他に種々のものがある。例えばバンド１３の他端１３ｆにネジ孔が設けられ、ビス１４はそのネジ孔に螺合する。この場合、バンド１３の他端はその他の領域よりも肉厚になっているとよい。
【００２３】
このような連結部による緊締において、例えばビス１４とナット１５の間の締め付け度合いにより、液体貯留容器１１の隘部１１ｃに巻回されたバンド１３の締め付け、および第２の把手半体１２２の固定部１２２ａの容器軸方向の容器外壁への圧接力が調節できる。ここで、締め付けを強くすると、バンド１３の締め付け強度が増す。また、固定部１２２ａは、第１の把手半体１２１の押圧部１２１ａからの押圧力が増大することから、液体貯留容器１１の外周面に狭圧される強度が増し、より強く固定されるようになる。
【００２４】
このように、液体貯留容器１１に対して把手１２およびバンド１３が強固に固定して装着できることから、液体貯留容器１１の容積および重量が増大しても、その飲料サーバーにおいて、その持ち運び等の取り扱いが極めて容易で便利になる。
【００２５】
上記２つの把手半体の結合では、例えば図５に示すように、第１の把手半体１２１の第１結合部１２１ｂに設けられた係合溝１２１ｆと第２の把手半体１２２の第２結合部１２２ｂに設けられた係合突起１２２ｈとが係合する。この２つの結合部において、第２の把手半体１２２は大きなバネ弾性を有し、第１の把手半体１２１の内側から圧接して強く結合するようになる。ここで、第１の把手半体１２１および第２の把手半体１２２は横断面Ｕ字形をなしているが、Ｕ字形以外の他の形状になってもよい。なお、逆に、第１の把手半体１２１の第１結合部１２１ｂに係合突起が設けられ、第２の把手半体１２２の第２結合部１２２ｂに係合溝が設けられる構造になっていてもよい。
【００２６】
このようにして、把手１２は２つの把手半体が結合した中空構造体になることから、液体貯留容器１１の容積および重量が増大する場合でも、その飲料サーバーにおいて、その持ち運び等の取り扱いが容易になる。
【００２７】
液体貯留容器１１の隘部１１ｃの外周面に巻回されたバンド１３において、その他端１３ｆの狭幅部１３ｂは第２の把手半体１２２に嵌合する。この嵌合では、図６に示すように、バンド１３の他端の狭幅部１３ｂが第２の把手半体１２２の嵌合壁１２２ｃ内にはめ込まれる。そして、第２の把手半体１２２の嵌合突起１２２ｄが嵌合溝１３ｄに嵌合する。
【００２８】
上述したバンド１３の他端と第１の把手半体１２１の緊締において、連結部による締め付け強度が大きくなると、バンド１３の引っ張り応力が増大する。そして、この引っ張り応力により、ビス１４が第２ビス孔１３ｃを介してバンド１３の他端と共に液体貯留容器１１方向に変位するようになる。しかし、この変位は、第２の把手半体１２２の嵌合突起１２２ｄに嵌合する嵌合溝１３ｄにより防止される。逆に、第２の把手半体１２２はその嵌合部において、バンド１３の他端からも液体貯留容器１１の外周面への押圧力を受ける。また、バンド１３の他端となる狭幅部１３ｂが嵌合壁１２２ｃに嵌合することにより、バンド１３の横方向の配置が正される。
【００２９】
次に、図７を参照して、液体貯留容器１１への把手１２とバンド１３の装着について説明する。この図では、バンド１３の他端と把手１２になる第２の把手半体１２２の一部が示されているが、第２の把手半体１２２に結合して一体化し把手１２になる第１の把手半体１２１については図１ないし図５が参照される。
【００３０】
一端に第１の把手半体１２１を有するバンド１３が液体貯留容器１１の隘部１１ｃを囲うように巻回される。その際、液体貯留容器１１における把手１２の装着の位置決めは、上述した液体貯留容器１１に設けられた位置合わせ用の視認できる印により行うことができる。あるいは、この把手１２の位置決めには、バンド１３に形成された上述したような位置合わせ用の凸部１３ｅが用いられていてもよい。
【００３１】
そして、バンド１３の他端が図４に示したように、第１の把手半体１２１にビス止めできるところまでもってこられる。それと共に、図７に示すように、バンド１３の他端であり屈曲する狭幅部１３ｂが嵌合壁１２２ｃ内にはめ込まれるように、第２の把手半体１２２が装着され位置決めされる。この位置決め状態において、ビス１４が第１の把手半体１２１の第１ビス孔１２１ｃから螺合軸Ｍにバンド１３の狭幅部１３ｂの第２ビス孔１３ｃに沿って挿入され、狭幅部１３ｂの背面側に固設されたナット１５に螺合される。また、第１の把手半体１２１と第２の把手半体１２２は第１結合部１２１ｂおよび第２結合部１２２ｂを通して互いに結合する。
【００３２】
そして、バンド１３の他端が第１の把手半体１２１に適度の強度に緊締される。この緊締において、バンド１３の他端が嵌合する第２の把手半体１２２は液体貯留容器１１の外周面に圧接される。すなわち第２の把手半体１２２の固定部１２２ａが第１の把手半体１２１の押圧部１２１ａと容器外壁１１ｄ，１１ｅとの間に挟まり、押圧部１２１ａにより押圧される。固定部１２２ａと押圧部１２１ａの対が相互に結合した第１の把手半体１２１と第２の把手半体１２２は一体化して把手１２になり、液体貯留容器１１の外周面において強固に固定される。
【００３３】
本実施形態の飲料サーバー１０では、液体貯留容器１１の隘部１１ｃの外周面に、樹脂製のバンド１３が巻回される。そして、バンド１３の一端に一体成形された第１の把手半体１２１が、バンド１３とは別個に形成された第２の把手半体１２２と結合し一体化して把手１２になる。ここで、隘部１１ｃの外周に巻回されたバンド１３の他端が第１の把手半体１２１と連結部で緊締される。この緊締により、第１の把手半体１２１を介して第２の把手半体１２２が液体貯留容器１１の外周面に連結部２０を中間にしてその両側で圧接され固定される。
【００３４】
このため、液体貯留容器１１の製造において、その隘部１１ｃに外周公差が大きくなっても、上記連結部による締め付け度合いを調節することにより、公差によらず把手１２は液体貯留容器１１に強固に固定して装着できるようになる。また、その固定の強度も連結部による締め付け度合いの調節により適宜に設定できるようになる。
【００３５】
また、把手１２およびバンド１３を液体貯留容器１１に強固に取り付けても、それによるバンド１３にかかる引っ張り応力はバンド１３に一様にかかるようになる。そのため、従来技術で生じていたようなバンド領域における局部的な応力負荷は無くなる。そして、この局部的な過大応力に起因するようなバンドの破損は防止される。
【００３６】
また、把手１２およびバンド１３は液体貯留容器１１に対して強固に固定して装着できる。あるいは、把手１２は２つの把手半体が結合した中空構造体になること等から、液体貯留容器１１の容積および重量が増大しても、その飲料サーバーにおいて、その持ち運び等の取り扱いが極めて容易で便利になる。
【００３７】
（第２の実施形態）
図８ないし図１０により第２の実施形態を説明する。本実施形態において第１の実施形態と相違する点は緊締ストッパー１２１ｇおよび１３ｇを第１の把手半体１２１およびバンド他端１３ｆに配置したことである。第１の実施形態では第２の把手半体の嵌合突起１２２ｄとバンド他端１３ｆの勘合溝１３ｄが緊締による変位を抑制するが、本実施形態では変位抑制をさらに強めて緊締作用を高めることができる。
【００３８】
第１の緊締ストッパー１２１ｇは、第１の把手半体１２１の第１のビス孔１２１ｃ近傍における液体貯留容器から遠い側で、かつ第１の補強リブ１２１ｄ内側にビスの軸１４ｂにそって突設される。構造は小リブを形成した板状体でビス孔１２１ｃを挟んで第１結合部１２１ｂの内側に一対配置する。ビス軸１４ｂ方向の高さを第１結合部１２１ｂの縁部とほぼ一致させている。さらにバンド他端１３ｆの直角方向に立ち上がって屈曲した狭幅部１３ｂの先端１３ｈを肉厚部としてビス孔の一部を囲むように突出させ第２の緊締ストッパー１３ｇを形成している。
【００３９】
第１および第２の緊締ストッパー１２１ｇ，１３ｇは第１の把手半体１２１と第２の把手半体１２２を嵌合したときに、突き合わせ端に若干の間隙を持たせる突出高さを有している。なお完全に突き合わせることもできる。
【００４０】
両ストッパー１２１ｇ，１３ｇの突出高さの比率は任意に設定することができ、また一方のストッパーだけを設けることもできる。なお上記第１の緊締ストッパー１２１ｇを一対の板状体で構成したが、これらの板状体を例えば容器から遠い側で橋絡して一体の断面コの字型にして、ビス孔１２１ｃを囲むようにもよく、また板状体でなく円柱や角柱の柱状体等の他の形状にしてもよい。
【００４１】
図１０により、第１の把手半体１２１と第２の把手半体１２２を嵌合しビス１４を挿入して連結部を締め付ける動作について説明する。
図１０（ａ）は第１の把手半体１２１と第２の把手半体１２２を嵌合した状態でビスの締め付けに余裕がある状態を示し、両ストッパー１２１ｇ，１３ｇの突き合わせ端に間隙が形成され、ビス軸１４ｂに対して第１の把手半体１２１の平坦壁とバンドの挟幅部１３ｂがほぼ平行になっている。
図１０（ｂ）は結合部をビス１４とナット１５で締め付けた状態を示しており、締め付けに従がってバンドの挟幅部１３ｂの先端１３ｈに設けた第２の緊締ストッパー１３ｇが第１の把手半体１２１側の第１の緊締ストッパー１２１ｇに当接し、バンドの先端１３ｈがビス側に傾く変位が抑制され、さらに締め付けると突き合わせ端を支点としてバンドの液体貯留容器側にある挟幅部１３ｂの立ち上がり部分１３ｉが引き寄せられ容器を強固に締め付ける。すなわち締め付けによるバンドの変形が少なくねじの曲がりが防げ、しかもより強固な締め付けが可能になる。
【００４２】
上記実施形態において、把手１２の形状としては、手指の挿入により握持可能となる環状以外に種々のものが考えられる。例えば、把手は横方向に伸びる筒状になっていてもよい。
【００４３】
上記実施形態において、バンド１３の他端は縮幅しないで同じ幅になっていてもよい。
【００４４】
飲料サーバーは、コーヒー、牛乳、紅茶等を収容するものであってもよいし、他の液体を収容するようになっても構わない。
【００４５】
以上、本発明の好適な実施形態について説明したが、上述した実施形態は本発明を限定するものでない。当業者にあっては、具体的な実施態様において本発明の技術思想および技術範囲から逸脱せずに種々の変形・変更を加えることが可能である。
【符号の説明】
【００４６】
１０…飲料サーバー、１１…液体貯留容器、１１ａ…開口、１１ｂ…注ぎ口、１１ｃ…隘部、１１ｄ，１１ｅ…外壁、１２…把手、１２１…第１の把手半体、１２１ａ…押圧部、１２１ｂ…第１結合部、１２１ｃ…第１ビス孔、１２１ｄ…第１補強リブ、１２１ｅ，１２２ｇ…液抜き孔、１２１ｆ…係合溝、１２１ｇ…第１の緊締ストッパー、１２２…第２の把手半体、１２２ａ…固定部、１２２ｂ…第２結合部、１２２ｃ…嵌合壁、１２２ｄ…嵌合突起、１２２ｅ…第２補強リブ、１２２ｆ…ビス受け、１２２ｈ…係合突起、１３…バンド、１３ａ…バンドリブ、１３ｂ…狭幅部、１３ｃ…第２ビス孔、１３ｄ…嵌合溝、１３ｆ…他端、１３ｇ…第２の緊締ストッパー、１３ｈ…先端、１４…ビス、１４ｂ…ビス軸、１５…ナット
【図１】
2014076276.tif 000003
【図２】
2014076276.tif 000004
【図３】
2014076276.tif 000005
【図４】
2014076276.tif 000006
【図５】
2014076276.tif 000007
【図６】
2014076276.tif 000008
【図７】
2014076276.tif 000009
【図８】
2014076276.tif 000010
【図９】
2014076276.tif 000011
【図１０】
2014076276.tif 000012